(57)【要約】【課題】本発明は、電解殺菌装置などで用いられる一定濃度の食塩水を生成するために求められる、高濃度食塩水を一定間隔で連続して生成供給する、高濃度食塩水の連続供給装置および高濃度食塩水の連続供給方法を提供すること。【解決手段】水を供給するための手段に接続され、水を取り込むための取り込み口と、食塩が供給された高濃度食塩水を取り出す取り出し口とを備え、水を一定量収納可能な容器である装置本体と、該装置本体の底部から所定の高さに位置を維持するための手段に支持された食塩保持容器とを備え、該食塩保持容器は内部に蓄えた食塩が食塩保持容器の周囲の水に接触して無攪拌で溶解するための多数の開口部を形成するとともに、該多数の開口部が形成された食塩保持容器の外形は溶解した高濃度食塩水が下方に沈殿する沈殿流れを形成する外形形状に形成する。【選択図】        図１
2005007272.tif 000002
【特許請求の範囲】
【請求項１】
水を供給するための手段に接続され、水を取り込むための取り込み口と、食塩が供給された高濃度食塩水を取り出す取り出し口とを備え、水を一定量収納可能な容器である装置本体と、該装置本体の底部から所定の高さに位置を維持するための手段に支持された食塩保持容器とを備え、該食塩保持容器は内部に蓄えた食塩が食塩保持容器の周囲の水に接触して無攪拌で溶解するための多数の開口部を形成するとともに、該多数の開口部が形成された食塩保持容器の外形は溶解した高濃度食塩水が下方に沈殿する沈殿流れを形成する外形形状に形成されていることを特徴とする、高濃度食塩水の連続供給装置。
【請求項２】
一端を水を供給するための手段に接続されて水の供給を遮断状態と供給状態に制御する制御するための手段を備えた水供給配管が接続された水を取り込むための取り込み口と、食塩が供給された高濃度食塩水を取り出す取り出し口と、該取り出し口に接続されて高濃度食塩水の取り出しを遮断状態と取り出し状態に制御する制御するための手段を備えた高濃度食塩水の取り出し配管が接続されて、水を一定量収納可能な容器である装置本体と、該装置本体の底部から所定の高さに位置を維持するための手段に支持された食塩保持容器とを備え、該食塩保持容器は内部に蓄えた食塩が食塩保持容器の周囲の水に接触して無攪拌で溶解するための多数の開口部を形成するとともに、該多数の開口部が形成された前記食塩保持容器の外形は溶解した高濃度食塩水が下方に沈殿する沈殿流れを形成する外形形状に形成されていることを特徴とする、高濃度食塩水の連続供給装置。
【請求項３】
前記食塩保持容器の開口部が形成された外形形状は、溶解した高濃度食塩水が下方に沈殿する沈殿流れを形成するために下方に垂下した立ち上がり部であることを特徴とする、請求項１又は２に記載の高濃度食塩水の連続供給装置。
【請求項４】
前記食塩保持容器の開口部が形成された外形形状は、溶解した高濃度食塩水が下方に沈殿する沈殿流れを形成する形成するために下方に垂下すると共に、収斂した傾斜部を有する立ち上がり部であることを特徴とする、請求項１又は２に記載の高濃度食塩水の連続供給装置。
【請求項５】
前記食塩保持容器の開口部が形成された外形形状の底部は、溶解した高濃度食塩水が下方に沈殿する沈殿流れを形成する形成するための下方に垂下する垂下壁の延長上で下方に突出するように形成されているようにしたことを特徴とする、請求項１又は２又は３又は４に記載の高濃度食塩水の連続供給装置。
【請求項６】
食塩を収納した食塩容器装置を装置本体の容器底部から所定の高さに支持すると共に、水を取り込むための取り込み口から取り込んだ水を蓄えて、溶解した高濃度食塩水を取り出し口から連続的に取り出すようにした、高濃度食塩水の連続供給方法であって、装置本体の底部から所定の高さに位置を維持するための手段に支持された食塩保持容器に食塩を供給するステップと、食塩が供給された高濃度食塩水を取り出す取り出し口からの水の流出を防止するために流出管路を閉鎖状態とするステップと、水を供給するための手段に接続される水を取り込むための取り込み口から一定量の水を容器である装置本体に取り込むステップと、該所定量の水の取り込み後の取り込みを防止するステップと、取り出しに必要な高濃度食塩水が無攪拌で生成される所定時間を計測するステップと、所定時間経過後に取り出しに対して前記流出管路を開放状態とすると共に取り出しに必要な高濃度食塩水の取り出し後に該流出管路を閉鎖状態とするステップと、取り出しにより減少した水量を取り込み口から取り込むステップと、からなることを特徴とする高濃度食塩水の連続供給方法。
【請求項７】
食塩を収納した食塩容器装置を装置本体の容器底部から所定の高さに支持すると共に、水を取り込むための取り込み口から取り込んだ水を蓄えて、溶解した高濃度食塩水を取り出し口から連続的に取り出すようにした、高濃度食塩水の連続供給方法であって、装置本体の底部から所定の高さに位置を維持するための手段に食塩を収納した食塩保持容器をセットするステップと、食塩が供給された高濃度食塩水を取り出す取り出し口からの水の流出を防止するために流出管路を閉鎖状態とするステップと、水を供給するための手段に接続される水を取り込むための取り込み口から一定量の水を容器である装置本体に取り込むステップと、該所定量の水の取り込み後の取り込みを防止するステップと、取り出しに必要な高濃度食塩水が無攪拌で生成される所定時間を計測するステップと、所定時間経過後に取り出しに対して前記流出管路を開放状態とすると共に取り出しに必要な高濃度食塩水の取り出し後に該流出管路を閉鎖状態とするステップと、取り出しにより減少した水量を取り込み口から取り込むステップと、からなることを特徴とする高濃度食塩水の連続供給方法。
【請求項８】
食塩を収納した食塩容器装置を装置本体の容器底部から所定の高さに支持すると共に、水を取り込むための取り込み口から取り込んだ水を蓄えて、溶解した高濃度食塩水を取り出し口から連続的に取り出すようにした、高濃度食塩水の連続供給方法であって、食塩が供給された高濃度食塩水を取り出す取り出し口からの水の流出を防止するために流出管路を閉鎖状態とするステップと、装置本体の底部から所定の高さに位置を維持するための手段に食塩を収納した食塩保持容器をセットするステップと、水を供給するための手段に接続される水を取り込むための取り込み口から一定量の水を容器である装置本体に取り込むステップと、該所定量の水の取り込み後の取り込みを防止するステップと、取り出しに必要な高濃度食塩水が無攪拌で生成される所定時間を計測するステップと、所定時間経過後に取り出しに対して流出管路に形成されている高濃度食塩水のトラップ又は空隙に満たすまで前記流出管路を開放状態とすると共にトラップ又は空隙に高濃度食塩水が満たされた後に該流出管路を閉鎖状態とするステップと、取り出しにより減少した水量を取り込み口から取り込むステップと、とからなることを特徴とする高濃度食塩水の連続供給方法。
【請求項９】
食塩を収納した食塩容器装置を装置本体の容器底部から所定の高さに支持すると共に、水を取り込むための取り込み口から取り込んだ水を蓄えて、溶解した高濃度食塩水を取り出し口から連続的に取り出すようにした、高濃度食塩水の連続供給方法であって、食塩が供給された高濃度食塩水を取り出す取り出し口からの水の流出を防止するために流出管路を閉鎖状態とするステップと、装置本体の底部から所定の高さに位置を維持するための手段に食塩を収納した食塩保持容器をセットするステップと、水を供給するための手段に接続される水を取り込むための取り込み口から一定量の水を容器である装置本体に取り込むステップと、該所定量の水の取り込み後の取り込みを防止するステップと、取り出しに必要な高濃度食塩水が無攪拌で生成される所定時間を計測するステップと、所定時間経過後に取り出しに対して一定量の高濃度食塩水を取り出すステップと、取り出しにより減少した水量を取り込み口から取り込むステップと、からとなることを特徴とする、高濃度食塩水の連続供給方法。
【請求項１０】
浴槽の浴水を循環ポンプによりくみ出して、循環路中に配置した濾過装置で濾過し、保温装置で保温するようにした浴水の循環装置において、一端を浴槽内に配置した浴水を供給するための手段に接続されて浴水の供給を遮断状態と供給状態に制御する制御手段を備えた水供給配管が接続された水を取り込むための取り込み口と、食塩が供給された高濃度食塩水を取り出す取り出し口と、該取り出し口に接続されて高濃度食塩水の取り出しを遮断状態と取り出し状態に制御する制御手段を備えた高濃度食塩水の取り出し配管が接続されて、水を一定量収納可能な容器である装置本体と、該装置本体の底部から所定の高さに位置を維持するための手段に支持された食塩保持容器とを備え、該食塩保持容器は内部に蓄えた食塩が食塩保持容器の周囲の水に接触して無攪拌で溶解するための多数の開口部を形成するとともに、前記食塩保持容器の開口部は溶解した高濃度食塩水が下方に沈殿する沈殿流れを形成する外形形状に形成されている高濃度食塩水の連続供給装置と、駆動手段に連結された一対の電極に通電することにより、一定濃度の食塩水を電気分解して塩素イオンを発生させるための電解槽と、前記取り出し口に一端が接続され他端が前記電解槽の高濃度食塩水の取水口に接続された高濃度食塩水の供給配管と、水を供給するための手段に接続され、前記電解槽の水を取り込むための取水口に接続された水の供給配管と、前記電解槽で生成した塩素イオンを含む電解水を前記循環路中に送出する送出管路と、を設けたことを特徴とする高濃度食塩水の連続供給装置。
【発明の詳細な説明】
【０００１】
【発明の属する技術分野】本発明は、電解殺菌装置などで用いられる一定濃度の食塩水を生成するために求められる、高濃度食塩水を一定間隔で連続して生成供給する、高濃度食塩水の連続供給装置および高濃度食塩水の連続供給方法に関する。
【０００２】
【従来の技術】最近の水の安全に関する要望に対して、水を塩素殺菌することで安全な水を供給することが行われている。その塩素の投入に関しては、直接塩素剤（さらし粉）を投入することや、次亜塩素酸を投入する方法がある。しかしながら前者はその投入量の管理が困難で管理責任者を必要とし、後者は次亜塩素酸そのものの管理に注意を払う必要があり、一般家庭でかつ管理されないことを前提にした利用には適さない。このため、一定濃度の食塩水を電気分解して、塩素を生成して水を処理しようとする試みが行われている。
【０００３】
【発明が解決しようとする課題】一定濃度の食塩水を電気分解するためには、まず、一定濃度の食塩水を供給する必要がある。このため、事前に一定濃度の食塩水を作って、装置に供給することで、一定濃度の食塩水を供給することが行われた。しかしながら、一定濃度の食塩水を所定量連続して供給するためには、消費する量に対応した食塩水タンクを装置内部に設ける必要があり、装置全体が極めて大きなものになってしまう、という問題があった。
このため、食塩そのものを装置内部に収納して、必要量に対する水を供給して一定濃度の食塩水を生成することが試みられたが、溶解速度が遅い、濃度分布にバラツキが生じるなどの不具合があった。食塩の潮解性があることで一定量の食塩の投入も、極めて困難な問題であった。
【０００４】本発明は上記問題点を解消し、一定濃度の高濃度食塩水を一定間隔で連続して生成供給する、高濃度食塩水の連続供給装置および高濃度食塩水の連続供給方法を提供することをその課題とする。そしてこの高濃度食塩水を水で希釈することで要求される濃度の食塩水を供給することができる。
【０００５】
【課題を解決するための手段】
このため本発明では、
水を供給するための手段に接続され、水を取り込むための取り込み口と、食塩が供給された高濃度食塩水を取り出す取り出し口とを備え、水を一定量収納可能な容器である装置本体と、
該装置本体の底部から所定の高さに位置を維持するための手段に支持された食塩保持容器とを備え、
該食塩保持容器は内部に蓄えた食塩が食塩保持容器の周囲の水に接触して無攪拌で溶解するための多数の開口部を形成するとともに、前記食塩保持容器の開口部は溶解した高濃度食塩水が下方に沈殿する沈殿流れを形成する外形形状に形成されていることを特徴とする、高濃度食塩水の連続供給装置とすることで課題を解決した。
【０００６】
また、一端を水を供給するための手段に接続されて水の供給を遮断状態と供給状態に制御する制御手段を備えた水供給配管が接続された水を取り込むための取り込み口と、食塩が供給された高濃度食塩水を取り出す取り出し口と、該取り出し口に接続されて高濃度食塩水の取り出しを遮断状態と取り出し状態に制御する制御手段を備えた高濃度食塩水の取り出し配管が接続されて、水を一定量収納可能な容器である装置本体と、該装置本体の底部から所定の高さに位置を維持するための手段に支持された食塩保持容器とを備え、該食塩保持容器は内部に蓄えた食塩が食塩保持容器の周囲の水に接触して無攪拌で溶解するための多数の開口部を形成するとともに、前記食塩保持容器の開口部は溶解した高濃度食塩水が下方に沈殿する沈殿流れを形成する外形形状に形成されていることを特徴とする、高濃度食塩水の連続供給装置とすることで課題を解決した。
【０００７】
また、本発明では、食塩保持容器の開口部が形成された外形形状は、溶解した高濃度食塩水が下方に沈殿する沈殿流れを形成する形成するために下方に垂下した立ち上がり部とすることで課題を解決した。
また、本発明では、食塩保持容器の開口部が形成された外形形状は、溶解した高濃度食塩水が下方に沈殿する沈殿流れを形成する形成するために下方に垂下すると共に、収斂した傾斜部を有する立ち上がり部とすることで課題を解決した。
【０００８】
また、本発明では、食塩保持容器の開口部が形成された外形形状の底部は、溶解した高濃度食塩水が下方に沈殿する沈殿流れを形成する形成するための下方に垂下する垂下壁の延長上で下方に突出するように形成されているようにしたことで課題を解決した。
また、高濃度食塩水の取り出しについては、前記取り出し口に接続されて高濃度食塩水の取り出しを遮断状態と取り出し状態に制御する制御手段を備えた高濃度食塩水の取り出し配管に替えて、取り出し配管中に所定量の高濃度食塩水を蓄えるためのトラップ又は空隙を設けて、該トラップ又は空隙に蓄えた高濃度食塩水を供給することで一定量の高濃度食塩水を供給することで課題を解決することができる。
【０００９】
また、本発明では、食塩を収納した食塩容器装置を装置本体の容器底部から所定の高さに支持すると共に、水を取り込むための取り込み口から取り込んだ水を蓄えて、溶解した高濃度食塩水を取り出し口から連続的に取り出すようにした、高濃度食塩水の連続供給方法であって、装置本体の底部から所定の高さに位置を維持するための手段に支持された食塩保持容器に食塩を供給するステップと、食塩が供給された高濃度食塩水を取り出す取り出し口からの水の流出を防止するために流出管路を閉鎖状態とするステップと、水を供給するための手段に接続される水を取り込むための取り込み口から一定量の水を容器である装置本体に取り込むステップと、該所定量の水の取り込み後の取り込みを防止するステップと、取り出しに必要な高濃度食塩水が無攪拌で生成される所定時間を計測するステップと、所定時間経過後に取り出しに対して前記流出管路を開放状態とすると共に取り出しに必要な高濃度食塩水の取り出し後に該流出管路を閉鎖状態とするステップと、取り出しにより減少した水量を取り込み口から取り込むステップと、からなる高濃度食塩水の連続供給方法により、課題を解決した。
【００１０】
また、本発明では、食塩を収納した食塩容器装置を装置本体の容器底部から所定の高さに支持すると共に、水を取り込むための取り込み口から取り込んだ水を蓄えて、溶解した高濃度食塩水を取り出し口から連続的に取り出すようにした、高濃度食塩水の連続供給方法であって、装置本体の底部から所定の高さに位置を維持するための手段に食塩を収納した食塩保持容器をセットするステップと、食塩が供給された高濃度食塩水を取り出す取り出し口からの水の流出を防止するために流出管路を閉鎖状態とするステップと、水を供給するための手段に接続される水を取り込むための取り込み口から一定量の水を容器である装置本体に取り込むステップと、該所定量の水の取り込み後の取り込みを防止するステップと、取り出しに必要な高濃度食塩水が無攪拌で生成される所定時間を計測するステップと、所定時間経過後に取り出しに対して前記流出管路を開放状態とすると共に取り出しに必要な高濃度食塩水の取り出し後に該流出管路を閉鎖状態とするステップと、取り出しにより減少した水量を取り込み口から取り込むステップと、からなる高濃度食塩水の連続供給方法により、課題を解決した。
【００１１】
また、本発明では、食塩を収納した食塩容器装置を装置本体の容器底部から所定の高さに支持すると共に、水を取り込むための取り込み口から取り込んだ水を蓄えて、溶解した高濃度食塩水を取り出し口から連続的に取り出すようにした、高濃度食塩水の連続供給方法であって、食塩が供給された高濃度食塩水を取り出す取り出し口からの水の流出を防止するために流出管路を閉鎖状態とするステップと、装置本体の底部から所定の高さに位置を維持するための手段に食塩を収納した食塩保持容器をセットするステップと、水を供給するための手段に接続される水を取り込むための取り込み口から一定量の水を容器である装置本体に取り込むステップと、該所定量の水の取り込み後の取り込みを防止するステップと、取り出しに必要な高濃度食塩水が無攪拌で生成される所定時間を計測するステップと、所定時間経過後に取り出しに対して前記流出管路を開放状態とすると共に取り出しに必要な高濃度食塩水の取り出し後に該流出管路を閉鎖状態とするステップと、取り出しにより減少した水量を取り込み口から取り込むステップと、からなる高濃度食塩水の連続供給方法により、課題を解決した。
【００１２】
また、本発明では、食塩を収納した食塩容器装置を装置本体の容器底部から所定の高さに支持すると共に、水を取り込むための取り込み口から取り込んだ水を蓄えて、溶解した高濃度食塩水を取り出し口から連続的に取り出すようにした、高濃度食塩水の連続供給方法であって、食塩が供給された高濃度食塩水を取り出す取り出し口からの水の流出を防止するために流出管路を閉鎖状態とするステップと、装置本体の底部から所定の高さに位置を維持するための手段に食塩を収納した食塩保持容器をセットするステップと、水を供給するための手段に接続される水を取り込むための取り込み口から一定量の水を容器である装置本体に取り込むステップと、該所定量の水の取り込み後の取り込みを防止するステップと、取り出しに必要な高濃度食塩水が無攪拌で生成される所定時間を計測するステップと、所定時間経過後に取り出しに対して一定量の高濃度食塩水を取り出すステップと、取り出しにより減少した水量を取り込み口から取り込むステップと、からとなる高濃度食塩水の連続供給方法により、課題を解決した。この高濃度食塩水は時間制御により、ほぼ飽和食塩水であることがその利用に対して好適である。
【００１３】
上記課題を解決したことの原理は、高濃度の食塩水は飽和食塩水以上は食塩が溶解しないことにより、溶解時間の長さが長すぎた場合や、必要な高濃度食塩水の量が少なかった場合にも、食塩が消費してしまうことがない。このため一度の食塩投入により、多数回の高濃度食塩水を得ること。即ち、高濃度食塩水の生成供給を繰り返し行うことができる。
【００１４】
なお、高濃度食塩水の連続供給装置の最適な使用としては、この高濃度食塩水を所定の割合で希釈して、所定の濃度として、電解殺菌の食塩水に使用することに対して有効である。その場合には、一端を水を供給するための手段に接続されて水の供給を遮断状態と供給状態に制御する制御手段を備えた水供給配管が接続された水を取り込むための取り込み口と、食塩が供給された高濃度食塩水を取り出す取り出し口と、該取り出し口に接続されて高濃度食塩水の取り出しを遮断状態と取り出し状態に制御する制御手段を備えた高濃度食塩水の取り出し配管が接続されて、水を一定量収納可能な容器である装置本体と、該装置本体の底部から所定の高さに位置を維持するための手段に支持された食塩保持容器とを備え、該食塩保持容器は内部に蓄えた食塩が食塩保持容器の周囲の水に接触して無攪拌で溶解するための多数の開口部を形成するとともに、前記食塩保持容器の開口部は溶解した高濃度食塩水が下方に沈殿する沈殿流れを形成する外形形状に形成されている高濃度食塩水の連続供給装置と、駆動手段に連結された一対の電極に通電することにより、一定濃度の食塩水を電気分解して塩素イオンを発生させるための電解槽と、前記取り出し口に一端が接続され他端が前記電解槽の高濃度食塩水の取水口に接続された高濃度食塩水の供給配管と、水を供給するための手段に接続され、前記電解槽の水を取り込むための取水口に接続された水の供給配管と、前記電解槽で生成した塩素イオンを含む電解水を送出する送出管路と、を設けることにより課題を解決することができる。
また、本発明は、浴槽の浴水を循環ポンプによりくみ出して、循環路中に配置した濾過装置で濾過し、保温装置で保温するようにした浴水の循環装置において、一端を浴槽内に配置した浴水を供給するための手段に接続されて浴水の供給を遮断状態と供給状態に制御する制御手段を備えた水供給配管が接続された水を取り込むための取り込み口と、食塩が供給された高濃度食塩水を取り出す取り出し口と、該取り出し口に接続されて高濃度食塩水の取り出しを遮断状態と取り出し状態に制御する制御手段を備えた高濃度食塩水の取り出し配管が接続されて、水を一定量収納可能な容器である装置本体と、該装置本体の底部から所定の高さに位置を維持するための手段に支持された食塩保持容器とを備え、該食塩保持容器は内部に蓄えた食塩が食塩保持容器の周囲の水に接触して無攪拌で溶解するための多数の開口部を形成するとともに、前記食塩保持容器の開口部は溶解した高濃度食塩水が下方に沈殿する沈殿流れを形成する外形形状に形成されている高濃度食塩水の連続供給装置と、駆動手段に連結された一対の電極に通電することにより、一定濃度の食塩水を電気分解して塩素イオンを発生させるための電解槽と、前記取り出し口に一端が接続され他端が前記電解槽の高濃度食塩水の取水口に接続された高濃度食塩水の供給配管と、水を供給するための手段に接続され、前記電解槽の水を取り込むための取水口に接続された水の供給配管と、前記電解槽で生成した塩素イオンを含む電解水を前記循環路中に送出する送出管路と、を設けたことを特徴とする高濃度食塩水の連続供給装置とすることで課題を解決した。
【００１５】
上記課題を解決したことの原理は、高濃度の食塩水は飽和食塩水以上は食塩が溶解しないことにより、溶解時間の長さが長すぎた場合や、必要な高濃度食塩水の量が少なかった場合にも、食塩が消費してしまうことがない。このため一度の食塩投入により、多数回の高濃度食塩水を得ること。即ち、高濃度食塩水の生成供給を繰り返し行うことができる。
【００１６】
【発明の実施の形態】以下、図面によって本発明の実施の形態について説明する。
図１は装置全体の構成図であって、貯水槽１には水Ｗが貯水されている。２は循環ポンプであって、貯水槽１の水中に一端が配置された給水管３が接続されている。４は分水管であって、一端で循環ポンプ２と配管Ｈで接続されている。分水管４の一方は配管Ｈにより、水を取り込むために使用される第１の切り替え弁５の第１のポート５ａに接続されている。切り替え弁５の第２のポート５ｂと食塩容器装置の装置本体６の取り込み口６ａが配管Ｈにより接続されている。この実施例では、循環ポンプ２、分水管４、第１の切り替え弁５により、水を供給するための手段を構成している。装置本体６内には、底部から所定の高さに位置を維持するための手段として、この実施例として、４本の足部を備えた台座６ｂが設けられている。なお底部から所定の高さに位置を維持するための手段としては別に上部からつり下げる籠体であってもよく、装置本体６内に設けた支持リブであってもよい。底部から所定の高さに位置を維持するのは溶解した、高濃度食塩水が下方に沈殿することで取り出しにおいて、確実に高濃度食塩水が取り出せること、沈殿流れが助長されること、高濃度食塩水には新たな食塩の溶解が行われないこと等による。
【００１７】
装置本体６の下方には高濃度食塩水を取り出すための取り出し口６ｃが形成されている。
７は第２の切り替え弁であって、第１のポート７ａと取り出し口６ｃが配管Ｈで接続されている。第２の切り替え弁の第２のポート７ｂと第１の切り替え弁５の第３のポート５ｃとが配管Ｈで接続されている。８は電解槽であって電力供給源Ｅに接続されている、陰極及び陽極としての一対の電極板８ａ、８ｂが配置されている。電解槽８の高濃度食塩水の取水口８ｃと第２の切り替え弁７の第３のポート７ｃが開閉弁９を介して配管Ｈにより接続されている。
【００１８】
１０は循環路であって、一端が分水管４の他の一方に接続されており、他端は貯水槽１に配置されている。電解槽８に設けられた送出口８ｄには配管Ｈの一端が接続されており、他端は循環路１０に設けられた、アスピレータ１１の絞り部に開閉弁１２を介して配管Ｈにより接続されている。
いる。１３は計時手段としてのタイマーであり、指令制御手段１４に接続されている。また、第１の切り替え弁５、第２の切り替え弁７、開閉弁９、開閉弁１２が指令制御手段１４に接続されている。
なお、食塩容器装置の装置本体６の水位を検出するための手段として水位計１５が設けられている。これはタイマーにより所定水量を設定することでもよい。これは装置本体６ないで飽和食塩水のような高濃度の食塩水を得るためであり、水位の厳密な管理は必要ないためである。
【００１９】
次に前記の装置本体６内の底部から所定の高さに位置を維持するための手段に支持される、食塩保持容器１６について図２を参照して説明する。
食塩保持容器１６は内部に食塩を収納している。好ましくは精製塩であり潮解性に優れた粉末状のものが好ましい。
また食塩保持容器は蓄えた食塩が周囲の水に接触して無攪拌で溶解するための多数の開口部１６ａを形成するとともに、該多数の開口部１６ａが形成された食塩保持容器の外形は溶解した高濃度食塩水が外形に沿って下方に沈殿する沈殿流れを形成するように、図２Ａのように下方に垂下する外形面１６ｂであることが好ましい。
また、下方に垂下する外形面は、図２Ｂに示すように下方に収斂した傾斜部１６ｂを有するように形成することが好ましい。また、その外形形状の底部１６ｃは、同じく図２Ｃ示すように、溶解した高濃度食塩水が下方に沈殿する沈殿流れを形成する下方に垂下する垂下壁の延長上で下方に突出するように形成することが好ましい。
【００２０】
これは、下方に垂下する外形面であることから、溶解して生成した食塩水がその重量比により沈殿するのと同時に、溶解していない水が無攪拌で溶解食塩水と入れ代わることで、新たに食塩と接触して、溶解が促進されることを助長するためである。なお、食塩水の濃度が高まり、全体に飽和食塩水となった以降は、当然新たな水の供給が行われるまで、食塩は溶解せず、残存して保持される。
【００２１】
次に高濃度食塩水の生成と電解水の生成について、図３のフローチャートを参照して説明する。
スタート時に、ステップ１（以下ＳＴ１とする）では指令制御手段１４の指令に基づき、開閉弁９、開閉弁１２を閉鎖状態にすると共に、ＳＴ２では第１の切り替え弁５を図４Ｃのポート５ｃのみが通じる状態に制御し、ＳＴ３で第２の切り替え弁７は図５Ｃのポート７ａのみが通じる状態に制御する。
次にＳＴ４で装置本体６内の底部から所定の高さに位置を維持するための手段６ｂに支持される、食塩保持容器１６の内部に食塩を収納する。
次にＳＴ５循環ポンプ２が貯水槽１から給水管３を通して貯水Ｗを吸い上げて、分水管４を通して循環路１０を通って貯水槽１に戻るように運転する。
【００２２】
高濃度食塩水の生成が指令されると、ＳＴ６で第１の切り替え弁５を図４Ａに示すポート５ａ，５ｂが通じる状態に制御し、水Ｗを装置本体６に取り込む。
ＳＴ７で装置本体６の水位を検出するための手段としての水位計１５により所定の水位を検出すると、ＳＴ８で第１の切り替え弁５を図４Ｂのポート５ａ，５ｃが通じる状態に制御する。
ＳＴ９で食塩溶解時間を計測するためにタイマー１３をスタートさせて計時する。ＳＴ１０で一定量溶解必要時間に到達したら、計時信号を指令制御手段１４に出力して、高濃度食塩水を供給する。即ち、ＳＴ１１で第２の切り替え弁７を図５Ａのポート７ａ，７ｃが通じる状態に制御する。
次にＳＴ１２で開閉弁９を開放状態に制御し、ＳＴ１３で第１の切り替え弁５を図４Ａのポート５ａ，５ｂが通じる状態に制御すると共に、ＳＴ１４で水Ｗを装置本体６に取り込むことで、高濃度食塩水の供給量を時間により制御するためにタイマー１３をスタートさせて計時する。
【００２３】
ＳＴ１５で高濃度食塩水の供給の必要時間に到達したら、計時信号を指令制御手段１４に出力して、ＳＴ１６で開閉弁９を閉鎖状態にする。
次にＳＴ１７で第２の切り替え弁７を図５Ｂのポート７ｂ，７ｃが通じる状態に制御し、ＳＴ１８で第１の切り替え弁５を図４Ｂのポート５ａ，５ｃが通じる状態に制御する。
次にＳＴ１９で開閉弁９を開放状態に制御すると共に、希釈する水の供給量を時間により制御するためにＳＴ２０でタイマー１３をスタートさせて計時する。
【００２４】
ＳＴ２１で希釈する水の供給の必要時間に到達したら、計時信号を指令制御手段１４に出力して、ＳＴ２２で開閉弁９を閉鎖状態にする。また、ＳＴ２３で第２の切り替え弁７は図５Ｃのポート７ａのみが通じる状態に制御し、ＳＴ２４で第１の切り替え弁５を図４Ｃのポート５ｃのみが通じる状態に制御する。
次にＳＴ２５で電解時間を制御するためにタイマー１３をスタートさせて計時すると共に、ＳＴ２６で電解槽８の電極に通電して食塩水を電気分解して塩素イオンを生成する。
【００２５】
ＳＴ２７で所定の電解時間に到達したら、ＳＴ２８で
電気分解を停止する。
次に、ＳＴ２９で開閉弁１２を開放状態に制御すると共に、ＳＴ３０で電解槽８の大気開放弁１７を解放してＳＴ３１で循環路１０に設けたアスピレータ１１の作用により、電解槽８の電解水を循環路１０中に供給する。供給により生成した塩素イオンにより循環路中の循環水及び貯水槽１の貯水を塩素殺菌、消毒することが期待できる。大気開放弁１７及びアスピレータ１１の作用により電解槽８の電解水は瞬時に循環路１０中に放出される。
【００２６】
次にＳＴ３２で開閉弁１２を閉鎖状態にすると共に、ＳＴ３３で電解槽８の大気開放弁１７を閉鎖状態にする。
再度高濃度食塩水を生成する場合は、ＳＴ８の再び第１の切り替え弁５を図４Ａのポート５ａ，５ｂが通じる状態に制御し、水Ｗを装置本体６に取り込む。この繰り返しにより、食塩保持容器１６の内部保持された食塩が消費つくされるまで、高濃度食塩水を生成することが出来る。
【００２７】
なおこの実施例では、一定量の高濃度食塩水の取り出しを、新たな水を取り込む時間を管理することで行ったが、第２の切り替え弁７と開閉弁９との間の配管Ｈに、一定量の高濃度食塩水を保持するためのトラップまたは空隙を設けて、これに充足して計量するようにしてもよい。
また、この実施例では、装置本体に水を取り込む場合には、水位検出手段によるものを示したが、装置本体の前に一定量の水を保持するためのトラップまたは空隙を設けて、これに充足して計量するようにしてもよい。
【００２８】
また、食塩保持容器は内部に蓄えた食塩が食塩保持容器の周囲の水に接触して無攪拌で溶解するために、蓄えた食塩上方位置まで、水の水位があるようにすることで溶解速度が早まるため充分な水位とすることが好ましい。
【００２９】
本発明の実施の形態として貯水槽の貯水及び循環路中の循環水に塩素イオンを放出することで、塩素殺菌を行う装置及びその方法を示したが、この図１に示す循環路中に、浄化装置１８や保温装置１９を備えて、貯水槽１の代わりに浴水を保持する浴槽２０とした、図６に示すように塩素殺菌装置を備えた浴水の循環装置及び、浴水の循環装置の塩素殺菌方法として構成することもある。
【発明の効果】
以上のように本発明によれば、一般家庭のような、扱いが危険ではなく、また管理が複雑な塩素生成物質ではなく、食塩を使用すると共に、潮解性の高い食塩の性質を利用すると共に、高濃度の食塩水は飽和食塩水以上は食塩が溶解しないことにより、溶解時間の長さが長すぎた場合や、必要な高濃度食塩水の量が少なかった場合にも、食塩が消費してしまうことがなく安定している生成装置を提供することができる。このため一度の食塩投入により、多数回の高濃度食塩水を得ること。即ち、高濃度食塩水の生成供給を繰り返し行うことができる。そして、一定濃度の高濃度食塩水を一定間隔で連続して生成供給する、高濃度食塩水の連続供給装置および高濃度食塩水の連続供給方法を提供することができる。そしてこの高濃度食塩水を水で希釈することで電気分解等の要求される用途に対して一定濃度の食塩水を確実に供給することができる。
【図面の簡単な説明】
【図１】本発明の電解殺菌装置の一実施形態の全体構成図
【図２】本発明の一実施形態における食塩保持容器の説明図
【図３】本発明の一実施形態におけるフローチャート
【図４】本発明の一実施形態における第１の切換え弁５の動作説明図
【図５】本発明の一実施形態における第２の切換え弁７の動作説明図
【図６】本発明の電解殺菌装置をよくすい循環装置に適用した場合の全体構成図
【符号の説明】
１：貯水槽
２：循環ポンプ
４；分水管
５；第１の切換え弁
６；装置本体
６ｂ；台座
７；第２の切換え弁
８；電解槽
９；開閉弁
１０；循環路
１１；アスピレータ
１２；開閉弁
１３；計時手段としてのタイマー
１４；指令制御手段
１５；水位計
１６；食塩保持容器
１７；大気開放弁
【図１】
2005007272.tif 000003
【図２】
2005007272.tif 000004
【図３】
2005007272.tif 000005
【図４】
2005007272.tif 000006
【図５】
2005007272.tif 000007
【図６】
2005007272.tif 000008